(57)【要約】  【課題】  ポンプ用タペットの構成部材であるケースに形成する取付け孔と回り止めピンとの寸法公差を厳密に管理しなくても、回り止めピン２４が抜けにくく、しかも回り止めピン２４の圧入固定時にケースに無理な力がかからないようにする。  【解決手段】  回り止めピン２４を、ケースの取付け孔に圧入される固定軸部２４ａと、ケースの外面から突出し、ハウジングの凹溝に収容される頭部２４ｂとを備える構成とし、固定軸部２４ａを中空形状、すり割り形状、楕円形状にして高い抜け止め効果が得られるようにした。【選択図】図１３
2011153564.tif 000002
【特許請求の範囲】
【請求項１】
カムが設けられたカムシャフトの回転運動を往復直線運動としてポンプ用プランジャーに伝達し、前記ポンプ用プランジャーと共に、ハウジングの開口孔内で往復直線運動を行なうポンプ用タペットであって、
シャフトと、シャフトの外径側に配置され、シャフト上に回転可能に支持された外輪と、シャフトおよび外輪を収容するケースとを備え、
前記ケースの外面に、前記ハウジングの開口孔の内径面に形成した凹溝に収容される回り止めピンを備え、
この回り止めピンの取付け孔を前記ケースの周壁に設け、
前記回り止めピンは、ケースの取付け孔に圧入される固定軸部と、ケースの外面から突出し、ハウジングの凹溝に収容される頭部とを備え、
前記回り止めピンの固定軸部と頭部のうち少なくとも固定軸部を中空に形成したことを特徴とするポンプ用タペット。
【請求項２】
カムが設けられたカムシャフトの回転運動を往復直線運動としてポンプ用プランジャーに伝達し、前記ポンプ用プランジャーと共に、ハウジングの開口孔内で往復直線運動を行なうポンプ用タペットであって、
シャフトと、シャフトの外径側に配置され、シャフト上に回転可能に支持された外輪と、シャフトおよび外輪を収容するケースとを備え、
前記ケースの外面に、前記ハウジングの開口孔の内径面に形成した凹溝に収容される回り止めピンを備え、
この回り止めピンの取付け孔を前記ケースの周壁に設け、
前記回り止めピンは、ケースの取付け孔に圧入される固定軸部と、ケースの外面から突出し、ハウジングの凹溝に収容される頭部とを備え、
前記回り止めピンの固定軸部の外径面に凸部を形成したことを特徴とするポンプ用タペット。
【請求項３】
カムが設けられたカムシャフトの回転運動を往復直線運動としてポンプ用プランジャーに伝達し、前記ポンプ用プランジャーと共に、ハウジングの開口孔内で往復直線運動を行なうポンプ用タペットであって、
シャフトと、シャフトの外径側に配置され、シャフト上に回転可能に支持された外輪と、シャフトおよび外輪を収容するケースとを備え、
前記ケースの外面に、前記ハウジングの開口孔の内径面に形成した凹溝に収容される回り止めピンを備え、
この回り止めピンの取付け孔を前記ケースの周壁に設け、
前記回り止めピンは、ケースの取付け孔に圧入される固定軸部と、ケースの外面から突出し、ハウジングの凹溝に収容される頭部とを備え、
前記回り止めピンの固定軸部をすり割り形状に形成したことを特徴とするポンプ用タペット。
【請求項４】
カムが設けられたカムシャフトの回転運動を往復直線運動としてポンプ用プランジャーに伝達し、前記ポンプ用プランジャーと共に、ハウジングの開口孔内で往復直線運動を行なうポンプ用タペットであって、
シャフトと、シャフトの外径側に配置され、シャフト上に回転可能に支持された外輪と、シャフトおよび外輪を収容するケースとを備え、
前記ケースの外面に、前記ハウジングの開口孔の内径面に形成した凹溝に収容される回り止めピンを備え、
この回り止めピンの取付け孔を前記ケースの周壁に設け、
前記回り止めピンは、ケースの取付け孔に圧入される固定軸部と、ケースの外面から突出し、ハウジングの凹溝に収容される頭部とを備え、
前記回り止めピンの固定軸部の先端にカエシ部を形成したことを特徴とするポンプ用タペット。
【請求項５】
カムが設けられたカムシャフトの回転運動を往復直線運動としてポンプ用プランジャーに伝達し、前記ポンプ用プランジャーと共に、ハウジングの開口孔内で往復直線運動を行なうポンプ用タペットであって、
シャフトと、シャフトの外径側に配置され、シャフト上に回転可能に支持された外輪と、シャフトおよび外輪を収容するケースとを備え、
前記ケースの外面に、前記ハウジングの開口孔の内径面に形成した凹溝に収容される回り止めピンを備え、
この回り止めピンの取付け孔を前記ケースの周壁に設け、
前記回り止めピンは、ケースの取付け孔に圧入される固定軸部と、ケースの外面から突出し、ハウジングの凹溝に収容される頭部とを備え、
前記回り止めピンの固定軸部の外周面と前記ケースの周壁に形成した取付け孔の内周面のいずれか一方を、ギア形状またはローレット形状に形成したことを特徴とするポンプ用タペット。
【請求項６】
カムが設けられたカムシャフトの回転運動を往復直線運動としてポンプ用プランジャーに伝達し、前記ポンプ用プランジャーと共に、ハウジングの開口孔内で往復直線運動を行なうポンプ用タペットであって、
シャフトと、シャフトの外径側に配置され、シャフト上に回転可能に支持された外輪と、シャフトおよび外輪を収容するケースとを備え、
前記ケースの外面に、前記ハウジングの開口孔の内径面に形成した凹溝に収容される回り止めピンを備え、
この回り止めピンの取付け孔を前記ケースの周壁に設け、
前記回り止めピンは、ケースの取付け孔に圧入される固定軸部と、ケースの外面から突出し、ハウジングの凹溝に収容される頭部とを備え、
前記回り止めピンの固定軸部と前記ケースの周壁に形成した取付け孔の少なくともいずれか一方を、楕円形状に形成したことを特徴とするポンプ用タペット。
【請求項７】
前記外輪が、シャフト上に転動体を介して設けられている請求項１〜６のいずれかに記載のポンプ用タペット。
【請求項８】
前記回り止めピンを、カムの回転方向と逆方向のケース外面に設けたことを特徴とする請求項１〜７のいずれかに記載のポンプ用タペット。
【請求項９】
前記請求項１〜８のいずれかに記載のポンプ用タペットを用いたことを特徴とする高圧燃料ポンプ。
【請求項１０】
前記請求項９の高圧燃料ポンプを用いた自動車または二輪車。
【発明の詳細な説明】
【技術分野】
【０００１】
この発明は、ポンプ用タペットに関するものであり、特に、ころ軸受を備えるポンプ用タペットに関するものである。
【背景技術】
【０００２】
自動車の直噴エンジンでは、シリンダー内に高圧の燃料を噴射するために高圧燃料ポンプが使用される。高圧燃料ポンプは、カムが設けられたカムシャフトの回転運動をポンプ用プランジャーの往復直線運動に変換し、ポンプ用プランジャーの往復直線運動により燃料を送り込んで高圧室内で高圧化し、燃焼室内に噴射して燃料を供給している。この高圧燃料ポンプの構成部材として、カムシャフトの回転運動を往復直線運動としてポンプ用プランジャーに伝達するポンプ用タペットがある。
【０００３】
ポンプ用タペットには、カムとの接触部の形状等により、ころ軸受を備えるころ入りタペットやきのこ形タペット等、複数の種類がある。
【０００４】
ころ入りタペットを備える高圧ポンプに関する技術として、ＤＥ  １０  ２００５  ０４７  ２３４  Ａ１（特許文献１）に開示されたものがある。図２３は、ころ入りタペットを備える特許文献１の高圧ポンプの一部を示す断面図である。
【０００５】
この特許文献１に示す高圧ポンプは、図２３中の矢印Ａの方向に回転運動を行なうカムシャフト１と、このカムシャフトの外径側に設けられたカム２と、このカム２と当接し、カムシャフト１の回転運動を往復直線運動としてポンプ用プランジャー３（以下、単に「プランジャー」という）に伝達すると共に往復直線運動を行なうタペット４と、タペット４に当接して往復直線運動を行なう棒状部材としてのプランジャー３と、プランジャー３の往復直線運動に応じて燃料を送り込み高圧化させる高圧室（図示せず）と、タペット４と当接し、プランジャー３を内方側に配置するようにして設けられたバネ５と、タペット４、プランジャー３およびバネ５を収容するハウジング６とを備えている。
【０００６】
タペット４、プランジャー３およびバネ５は、ハウジング６に設けられた開口孔７内に収容されるようにして配置される。タペット４は、開口孔７の内径面で、図２３中の上下方向、すなわち、図２３中の矢印XXIIIの方向またはその逆の方向に案内される。
【０００７】
タペット４が上下動するハウジングの開口孔の内径面には、内径面から凹むように図２３中の矢印XXIIIの方向に延びる凹溝７ａが設けられている。タペット４のケース９の外面には、タペット４のケース９の外面から突出するように回り止めピン９ａが取付けられ、タペット４の開口孔７への収容時に、前記ハウジング７の開口孔７の内径面に設けた凹溝７ａに、ケース９の回り止めピン９ａを収容することにより、開口孔７内におけるタペット４の周方向への回転を防止している。
このケース９に取り付ける回り止めピン９ａは、円柱形をしており、ケース９の周壁に形成した取付け孔９ｂに、圧入固定されている。
【先行技術文献】
【特許文献】
【０００８】
【特許文献１】ＤＥ  １０  ２００５  ０４７  ２３４  Ａ１
【発明の概要】
【発明が解決しようとする課題】
【０００９】
ところで、タペット４のケース９に回り止めピン９ａを圧入固定する場合、ケース９に形成した取付け孔９ｂと回り止めピン９ａとの締め代が小さいと、回り止めピン９ａが脱落し易いという問題が生じる。
【００１０】
一方、ケース９の取付け孔９ｂと回り止めピンと９ａの締め代が大きすぎると、圧入力が過大になり、ケース９が変形し、タペット４のハウジング６内での上下動に支障が生じるおそれがある。
【００１１】
このため、従来は、ケース９に設ける取付け孔９ｂと回り止めピン９ａとの寸法公差を少なくして、厳密な締め代管理を行なう必要があった。また、ケース９に形成した取付け用の取付け孔９ｂの内面も綺麗に研磨仕上げを行う必要があり、高コストになるという問題もあった。
【００１２】
そこで、この発明は、タペットの構成部材であるケースに形成する取付け孔と回り止めピンとの寸法公差を厳密に管理しなくても、圧入荷重・抜け荷重のばらつきを抑えることができ、回り止めピンが抜けにくく、しかも回り止めピンの圧入固定時にケースに無理な力がかからないようにすることにより、ケースの変形を防止し、タペット全体の低コスト化を図ることを課題とするものである。
【課題を解決するための手段】
【００１３】
前記の課題を解決するために、この発明は、シャフトおよびこのシャフト上に回転可能に支持された外輪を収容するケースの外面に、ハウジングの開口孔の内径面に形成した凹溝に収容される回り止めピンを備え、この回り止めピンの取付け孔を前記ケースの周壁に設けたポンプ用タペットにおいて、回り止めピンとケースの取付け孔を、以下のような構成にすることにより、回り止めピンとケースの取付け孔との寸法公差を厳密に管理しなくても、圧入荷重・抜け荷重のばらつきを抑えることができ、回り止めピンをケースの取付け孔に無理なく取り付けることができ、しかも回り止めピンを抜け難くしたものである。
【００１４】
すなわち、この発明においては、回り止めピンを、ケースの取付け孔に圧入される固定軸部と、ケースの外面から突出し、ハウジングの凹溝に収容される頭部とを備える構成とし、固定軸部とケースの取付け孔とをそれぞれ以下のような構成としたものである。
【００１５】
その一つは、前記回り止めピンの固定軸部と頭部のうち少なくとも固定軸部を中空に形成することによって、固定軸部を取付け孔に取り付ける際に、固定軸部が収縮し易くなり、圧入荷重が低減されるため、回り止めピンがケースの取付け孔に無理なく取り付けられ、しかも回り止めピンとケース取付け孔の締め代を厳密に管理しなくても抜け荷重のばらつきを抑えることができるため、回り止めピンの十分な抜け止め効果を確保しつつ、取付け孔の加工コストを抑えることができる。
【００１６】
また、前記回り止めピンの固定軸部をすり割り形状にすることによっても、圧入荷重が低減でき、回り止めピンがケースの取付け孔に無理なく取り付けられる。
【００１７】
また、前記回り止めピンの固定軸部の先端にカエシ部を設けることによって、さらに抜け止め効果を向上させることができる。
【００１８】
また、前記回り止めピンの固定軸部の外面に、軸方向に凸部を数か所設けることで、凸部の先端が取付け孔の内周面に食い込むことにより、高い抜け止め効果を得るようにしてもよい。
【００１９】
また、前記回り止めピンの固定軸部の外周面と前記ケースの周壁に形成した取付け孔の内周面のいずれか一方を、ギヤ形状またはローレット形状に形成することにより、回り止めピンを抜けにくく、しかも回り止めピンの圧入固定時にケースに無理な力がかかないようにすることができる。
【００２０】
また、前記回り止めピンの固定軸部と前記ケースの周壁に形成した取付け孔のいずれか一方を、楕円形状に形成することによっても、回り止めピンを抜けにくく、しかも回り止めピンの圧入固定時にケースに無理な力がかかないようにすることができる。
【００２１】
前記外輪は、シャフト上にころ等の転動体を介して設けてもよいし、転動体を省略し、シャフト状に直接設けるようにしてもよい。
【発明の効果】
【００２２】
この発明は、以上のように、回り止めピンをケースの取付け孔に対して無理なく取り付けることができ、しかも抜けにくい構造としているので、回り止めピンとケースの取付け孔との寸法公差を厳密に管理する必要がなく、ポンプ用タペット全体の低コスト化を図ることができる。
【図面の簡単な説明】
【００２３】
【図１】この発明の一実施形態に係るタペットを含む高圧ポンプの一部を示す断面図である。
【図２】図１に示す高圧ポンプに含まれるタペットの縦断正面図である。
【図３】図１に示す高圧ポンプに含まれるタペットの縦断側面図である。
【図４】図２および図３に示すタペットの斜視図である。
【図５】図４に示すタペットを、図４中の矢印Vの方向から見た図である。
【図６】図４に示すタペットを、図４中の矢印VIの方向から見た図である。
【図７】図４に示すタペットを、図４中の矢印VIIの方向から見た図である。
【図８】図４に示すタペットを、図４中の矢印VIIIの方向から見た図である。
【図９】（ａ）は回り止めピンの一例を示す拡大縦断正面図、（ｂ）は（ａ）の右側面図である。
【図１０】（ａ）は回り止めピンの他の例を示す拡大縦断正面図、（ｂ）は（ａ）の右側面図である。
【図１１】（ａ）は回り止めピンの他の例を示す拡大縦断正面図、（ｂ）は（ａ）の右側面図である。
【図１２】（ａ）は回り止めピンの他の例を示す拡大正面図、（ｂ）は（ａ）の右側面図である。
【図１３】（ａ）は回り止めピンの他の例を示す拡大縦断正面図、（ｂ）は（ａ）の右側面図である。
【図１４】（ａ）は回り止めピンの他の例を示す拡大正面図、（ｂ）は（ａ）の右側面図である。
【図１５】（ａ）は回り止めピンの他の例を示す拡大正面図、（ｂ）は（ａ）の右側面図である。
【図１６】（ａ）はケースの周壁に形成した取付け孔の変形例を示すタペットの拡大図である。
【図１７】回り止めピンを逆方向に取り付けた、この発明の他の実施形態に係るタペットを含む高圧ポンプの一部を示す断面図である。
【図１８】図２に示すタペットのXXVIIIで示す部分の拡大図である。
【図１９】図２に示すタペットに含まれるころ軸受の一部を、図１８中の矢印XIXの方向から見た図である。
【図２０】図２に示すタペットに含まれるころ軸受の一部の断面図であり、図１８中のXX−XXで切断した断面図である。
【図２１】この発明に係るタペットの他の実施形態を示す縦断正面図である。
【図２２】この発明に係るタペットの他の実施形態を示す縦断側面図である。
【図２３】従来のタペットを含む高圧ポンプの一部を示す断面図である。
【発明を実施するための形態】
【００２４】
以下、この発明の実施の形態を添付図面に基づいて説明する。
この発明の一実施形態に係るタペットを備える高圧ポンプ１１は、カム１２ａがその外径側に設けられており、図１中の矢印Ａの方向に回転運動を行なうカムシャフト１２と、カム１２ａと当接し、カムシャフト１２の回転運動を往復直線運動としてポンプ用プランジャー１３（以下、単に「プランジャー」という）に伝達すると共に往復直線運動を行なうタペット２１と、タペット２１に当接して往復直線運動を行なう棒状部材としてのプランジャー１３と、プランジャー１３の往復直線運動に応じて燃料を送り込み高圧化させる高圧室（図示省略）と、タペット２１と当接し、プランジャー１３を内方側に配置するようにして設けられたバネ１４と、タペット２１、プランジャー１３およびバネ１４を収容するハウジング１５とを備えている。
【００２５】
タペット２１、プランジャー１３およびバネ１４は、ハウジング１５に設けられた開口孔１６内に収容されるようにして配置される。タペット２１は、開口孔１６の内径面１６ａで、図１中の上下方向、すなわち、図１中の矢印Ｉの方向またはその逆の方向に案内される。
【００２６】
カムシャフト１２とタペット２１とは、カム１２ａの外径面１２ｂと、タペット２１に含まれるころ軸受３１の外輪３２の外径面３２ａとが当接するように配置される。プランジャー１３の一方端部１３ａは、タペット２１に含まれるケース２３に設けられた中間底２３ｃと当接するように配置される。バネ１４は、その一方端部が中間底２３ｃの下方側に設けられたバネ座１７と当接するように配置される。
【００２７】
バネ１４は下方向、すなわち、図１中の矢印Ｉで示す方向と逆の方向に弾性力を有する。タペット２１は、バネ１４の弾性力によりプランジャー１３を介して、上方向、すなわち、図１中の矢印Ｉで示す方向に付勢されている。
【００２８】
カムシャフト１２の回転運動、バネ１４の付勢、および開口孔１６の内径面１６ａの案内等により、タペット２１およびプランジャー１３は、上下方向、すなわち、図１中の矢印Ｉの方向またはその逆の方向に往復直線運動を行なう。ここでいう往復直線運動は、図１中の矢印Ｉの方向またはその逆の方向への運動である。カムシャフト１２が高速で回転すると、このタペット２１およびプランジャー１３の往復直線運動の速度も速くなる。
【００２９】
高圧室は、プランジャー１３の図示しない他方端部側に配置される。プランジャー１３の往復直線運動により、高圧室内に供給された燃料の高圧化を図ることができる。
【００３０】
次に、この発明の一実施形態に係るタペット２１の構成について説明する。タペット２１は、シャフト２２と、シャフト２２の外径側に配置され、シャフト２２上に回転可能に支持されたころ軸受３１と、シャフト２２およびころ軸受３１を収容するケース２３とを備える。
【００３１】
ケース２３は、円筒状の周壁２３ａと、上下方向の空間を仕切るように周壁２３ａの内径面２３ｂの途中位置に設けられた中間底２３ｃとを備える。ケース２３のうち、中間底２３ｃの部分が、プランジャー１３と当接する。周壁２３ａおよび中間底２３ｃは、所定の肉厚を有する。
【００３２】
周壁２３ａの一方端側には、図３に示すように、シャフト２２を支持する一対の支持孔２３ｄ、２３ｅが設けられている。この一対の支持孔２３ｄ、２３ｅにシャフト２２を挿入するようにして、シャフト２２を配置する。シャフト２２の外径側には、ころ軸受３１が配置される。このようにして、ケース２３は、中間底２３ｃから周壁２３ａの一方端側に向かう空間２３ｆで、シャフト２２およびころ軸受３１を収容する。
【００３３】
シャフト２２は、中空に形成され、シャフト２２の端面の外周縁部をかしめ固定することにより、前記支持孔２３ｄ、２３ｅに固定されている。符号２２ａは、かしめ部分を示している。シャフト２２を中空にすることにより、中実のシャフトを使用する場合よりも軽量化が図れる。
【００３４】
中間底２３ｃから周壁２３ａの他方端側に向かう空間２３ｇには、プランジャー１３の一部が収容される。具体的には、プランジャー１３の一方端部１３ａが中間底２３ｃの径方向の中央部分に当接するようにして配置され、プランジャー１３の一方端部１３ａが収容される。なお、バネ１４の一方端部についても、空間２３ｇ内に収容される。
【００３５】
中間底２３ｃには、その厚み方向に貫通する４つの油孔２５が設けられている（図７および図８参照）。４つの油孔２５は、プランジャー１３の一方端部１３ａと中間底２３ｃとの当接部分を避けるようにして設けられている。この油孔２５を利用して、空間２３ｆおよび空間２３ｇ間において、タペット２１に供給される潤滑油を通油させることができる。
【００３６】
ケース２３には、図２に示すように、周壁２３ａの外径面２３ｈから内径面２３ｂまで貫通する凹部としての取付け孔２３ｉが設けられている。この取付け孔２３ｉには、その一部が外径面２３ｈから突出するように回り止めピン２４が嵌合されている。回り止めピン２４は、開口孔１６内に配置されたタペット２１の位置決めを行なう。すなわち、タペット２１は、ケース２３の位置決めを行なう回り止めピン２４を備える。
【００３７】
回り止めピン２４は、取付け孔２３ｉに圧入固定される固定軸部２４ａと、外径面２３ｈから突出する半円球状の頭部２４ｂとによって構成されている。ここで、回り止めピン２４は、固定軸部２４ａを取付け孔２３ｉに圧入することにより固定され、取付け孔２３ｉからの脱落を防止している。
ハウジング１５の開口孔１６の内径面１６ａには、内径面１６ａから凹むように図１中の矢印Ｉの方向に延びる凹溝１６ｂが設けられている。タペット２１の開口孔１６への収容時には、回り止めピン２４の突出した部分を、この凹溝１６ｂに嵌合させる。これにより、開口孔１６内におけるケース２３、引いてはタペット２１の周方向の位置決めを行なう。これにより、開口孔１６内におけるタペット２１の周方向への回転を防止している。
【００３８】
この発明は、回り止めピン２４が取付け孔２３ｉから抜けにくく、回り止めピンの圧入固定時にケースに無理な力がかかないようにするために、回り止めピン２４と取付け孔２３ｉとを次のような構成にしている。
【００３９】
図９は、回り止めピン２４の一例であり、固定軸部２４ａの部分を中空形状に形成している。固定軸部２４ａの部分を中空形状にすることにより、ケース２３の取付け孔２３ｉに圧入する際に、中空の固定軸部２４ａが収縮し易くなり、回り止めピン２４の圧入荷重が低減できるため、ケース２３自体の変形が防止される。また、回り止めピン２４とケース２３の取付け孔２３ｉの締め代を厳密に管理しなくても抜け荷重のばらつきを抑えることができるため、ケース２３の取付け孔２３ｉとの間で十分な抜け荷重が得られると共に、取付け孔２３ｉの加工コストを抑えることができる。
【００４０】
図１０は、固定軸部２４ａの部分と頭部２４ｂの両方を中空に形成した例である。
【００４１】
図１１は、固定軸部２４ａの部分をすり割り形状に形成した例であり、ケース２３の取付け孔２３ｉに圧入する際に、固定軸部２４ａがより変形し易くなっている。
【００４２】
図１２は、固定軸部２４ａの先端部分にカエシ部２４ｃを設けた例であり、ケース２３の取付け孔２３ｉに圧入した際に、カエシ部２４ｃが取付け孔２３ｉに引っ掛かることにより、回り止めピン２４の抜け止めを図ることができる。
【００４３】
図１３は、固定軸部２４ａをすり割り形状とし、さらに先端部分にカエシ部２４ｃを設けた例である。
【００４４】
図１４は、固定軸部２４ａの外径面に、軸方向に凸部２４ｄを数か所、図１４では３か所設けた例であり、ケース２３の取付け孔２３ｉに圧入した際に、凸部２４ｄが取付け孔２３ｉの内周面に食い込むことにより、回り止めピン２４の抜け止めを図ることができる。
【００４５】
図１５は、固定軸部２４ａの外径面を、ローレット形状またはギヤ形状に形成することにより、固定軸部２４ａの外径面のローレット形状またはギヤ形状の部分が、ケース２３の取付け孔２３ｉに圧入した際に、取付け孔２３ｉの内周面に食い込み易くしている。
【００４６】
図１６は、ケース２３の取付け孔２３ｉの内周面を、ローレット形状またはギヤ形状に形成することにより、固定軸部２４ａの外径面との食い込みを良好にして、回り止めピン２４の抜け止めを図る例である。
【００４７】
また、図示は省略するが、固定軸部２４ａの断面形状またはケース２３の取付け孔２３ｉの内面形状を楕円形にすることによっても、固定軸部２４ａを取付け孔２３ｉに対して取付け易く、抜け止め効果を高くすることができる。
【００４８】
以上の実施形態では、上記回り止めピン２４をケース２３の外面に設ける位置は、図１に示すように、カム１２の回転方向と同じ方向にしているが、図１７に示すように、回り止めピン２４をカム１２の回転方向と逆位置に設けるようにしてもよい。図１７示すように、回り止めピン２４をカム１２の回転方向と逆位置に設けることにより、カム１２の回転による連れ回りにより、ケース２３がカム１２の回転方向に押し付けられても、ハウジング１５の内径面１６ａの凹溝１６ｂが設けられた面と反対側の面で接触するため、凹溝１６ｂが設けられた面で接触する場合と比べてより広い面積でケース２３とハウジング１５が接触でき、接触圧力が低減され、接触面の摩耗・潤滑不良などを抑制し、ポンプ効率を悪化させるということを防止することができる。
【００４９】
次に、タペット２１に含まれるころ軸受３１の構成について説明する。図１８は、図２中の二点鎖線のXVIIIで示す部分の拡大図である。図１８中の一点鎖線で、ころピッチ円３１ａを示している。図１９は、図１８に示す矢印XIXの方向からころ軸受３１の一部を見た図である。図２０は、ころ軸受３１の一部を示す断面図であり、図１８中のXX−XX断面である。ころ軸受３１は、外輪３２と、外輪３２とシャフト２２との間に配置される複数のころ３３と、複数のころ３３を保持する保持器３４とを備える。
【００５０】
保持器３４は、一対の環状部３４ａ、３４ｂと、ころ３３を収容するポケット３４ｃを形成するように一対の環状部３４ａ、３４ｂを連結する複数の柱部３４ｄとを含む。柱部３４ｄは、軸方向、すなわち、図１８で示す断面において、紙面表裏方向に真直ぐに延びる形状である。
【００５１】
保持器３４は、ころ３３と同様に、外輪３２とシャフト２２との間に配置される。複数のころ３３は、保持器３４に設けられた各ポケット３４ｃにそれぞれ収容され、保持される。保持器３４は、外径案内、すなわち、保持器３４の外径側に配置される外輪３２の内径面３２ｂと保持器３４の外径面３４ｅとが径方向で接触するよう構成されている。また、保持器３４には、外径面３４ｅからその内方側に凹むように油溝３４ｆが設けられている。油溝３４ｆは、柱部３４ｄの中央に設けられており、周方向に延びる形状である。
【００５２】
カムシャフト１２の回転運動により、ころ軸受３１の構成部材である外輪３２およびころ３３も回転する。カムシャフト１２が高速で回転すると、ころ３３の回転も速くなる。ここで、タペット２１の構成部材であるころ軸受３１において、高速回転時におけるころ軸受３１内でのころ３３の位置を保持器３４によって安定させることができる。そうすると、ころ３３のスキューを抑制して、ころ軸受３１の横走りを防止することができる。したがって、高速回転時におけるころ軸受３１の潤滑不良、およびころ軸受３１の摩耗のおそれを少なくすることができる。すなわち、このようなポンプ用タペットは、安価に製造することができると共に、高速化・長寿命化を図ることができる。
【００５３】
また、このような高圧ポンプ１１は、安価に製造することができると共に、高速回転時におけるころ軸受３１の潤滑不良、およびころ軸受３１の摩耗のおそれを少なくすることができるタペット２１を含むため、安価に製造することができると共に、短時間でより安定して燃料を高圧化することができる。
【００５４】
ここで、保持器３４は、外径案内であって、保持器３４の外径面３４ｅに、その表面から内方側に凹んだ油溝３４ｆが設けられているため、保持器３４と外輪３２とを接触させて、保持器３４の径方向の位置を安定させることができる。また、保持器３４の内径面３４ｇとシャフト２２の外径面２２ａの通油性を向上させると共に保持器３４の外径面３４ｅと外輪３２の内径面３２ｂとの間の潤滑性を向上させ、保持器３４と外輪３２との摩耗を抑制することができる。したがって、保持器３４、ころ３３、外輪３２およびシャフト２２の長寿命化を図ることができる。なお、油溝は、軸方向に傾きを持って延びるように設けてもよいし、湾曲して延びるように設けてもよい。また、油溝は、複数設けられていてもよい。
【００５５】
なお、保持器３４は、内径案内であって、保持器３４の内径面３４ｇに、油溝が設けられるようにしてもよい。こうすることにより、保持器３４とシャフト２２とを接触させて、保持器３４の径方向の位置を安定させることができる。また、保持器３４の外径面３４ｅと外輪３２の内径面３２ｂの通油性を向上させると共に保持器３４の内径面３４ｇとシャフト２２の外径面２２ａとの間の潤滑性を向上させ、保持器３４とシャフト２２との摩耗を抑制することができる。したがって、保持器３４、ころ３３、外輪３２およびシャフト２２の長寿命化を図ることができる。
【００５６】
ころ軸受３１に備えられる保持器３４については、樹脂製にしても良い。こうすることにより、保持器３４自体を軽量にすることができ、総じてタペット２１の重量を軽くすることができる。したがって、往復直線運動に要する力、ここでは、タペット２１の上下方向の動きに要する力を軽減することができる。また、保持器３４を樹脂製とすると、射出成形等により製造することが可能であるため、大量生産が容易となり、安価に製造することができる。保持器３４の材質としては、例えば、ナイロン６６やナイロン４６、ポリフェニレンスルフィド（ＰＰＳ）やポリエーテルエーテルケトン（ＰＥＥＫ）等が挙げられる。なお、必要に応じて、樹脂に炭素繊維やガラス繊維、カーボンブラック等を充填することにしてもよい。
【００５７】
なお、図１９において、ポケット３４ｃに収容されたころ３３の転動面３３ａと柱部３４ｄの側壁面３４ｈとのすき間の寸法については、理解を容易にする観点から、誇張して大きく図示している。
【００５８】
なお、前記したタペットを構成するころおよびシャフトは、鋼製部材、例えば、ＳＵＪ２やＳＣＭ４２０（いずれもＪＩＳ規格）等を鍛造、切削等することにより製造される。
【００５９】
ここで、前記の実施の形態においては、回り止めピンを嵌合する凹部は、ケースの内径面から外径面まで貫通する取付け孔とすることとしたが、これに限らず、凹部は、ケースの内径面から外径面まで貫通していなくともよい。さらに、凹部は、回り止めピンの外径面に沿うようケースの外径面から凹んだ形状を有するよう構成してもよい。こうすることにより、回り止めピンの外径面とケースの凹部とを合わせて、回り止めピンと凹部とをより確実に嵌合させることができる。
【００６０】
なお、前記の実施の形態においては、保持器は、一対の環状部と、複数の柱部とを含むこととしたが、これに限らず、一体型ではなく複数の部材に分割されており、ころの間に配置される間座型の保持器であってもよい。
【００６１】
また、前記の実施の形態において、柱部は、軸方向に真直ぐに延びる形状としたが、これに限らず、柱部が径方向に折曲げられていてもよく、例えば、Ｖ型保持器やＭ型保持器のような形状であってもよい。さらに、柱部の側壁面に、ころの径方向の脱落を防止するころ止め部を設けることとしてもよい。
【００６２】
なお、前記の実施の形態においては、ころ軸受は、複数のころを保持する保持器を備える構成としたが、これに限らず、ころ軸受が保持器を備えない構成、すなわち、総ころ形式のころ軸受についても適用される。
【００６３】
以上の実施形態は、シャフト２２の外径側にころ軸受３１を設けたタペット２１であるが、図２１及び図２２に示す実施形態は、転動体を省略し、シャフト２２の外径側に外輪３２ａを回転可能に直接設けたタペット２１の例であり、前記の実施形態と共通する部分は同一符号を付して説明を省略する。
【００６４】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００６５】
この発明に係るタペットは、自動車等のエンジンに燃料を供給する高圧ポンプに含まれ、自動車用部品として、有効に利用される。
【符号の説明】
【００６６】
１１  高圧ポンプ
１２  カムシャフト
１２ａ  カム
１３  プランジャー
１３ａ  一方端部
１５  ハウジング
１６  開口孔
１６ａ  内径面
１６ｂ  凹溝
２１  タペット
２２  シャフト
２３  ケース
２３ａ  周壁
２３ｃ  中間底
２３ｉ  取付け孔
２４  回り止めピン
２４ａ  固定軸部
２４ｂ  頭部
２４ｃ  カエシ部
２４ｄ  凸部
３１  ころ軸受
３２、３２ａ  外輪
３３  ころ
【図１】
2011153564.tif 000003
【図２】
2011153564.tif 000004
【図３】
2011153564.tif 000005
【図４】
2011153564.tif 000006
【図５】
2011153564.tif 000007
【図６】
2011153564.tif 000008
【図７】
2011153564.tif 000009
【図８】
2011153564.tif 000010
【図９】
2011153564.tif 000011
【図１０】
2011153564.tif 000012
【図１１】
2011153564.tif 000013
【図１２】
2011153564.tif 000014
【図１３】
2011153564.tif 000015
【図１４】
2011153564.tif 000016
【図１５】
2011153564.tif 000017
【図１６】
2011153564.tif 000018
【図１７】
2011153564.tif 000019
【図１８】
2011153564.tif 000020
【図１９】
2011153564.tif 000021
【図２０】
2011153564.tif 000022
【図２１】
2011153564.tif 000023
【図２２】
2011153564.tif 000024
【図２３】
2011153564.tif 000025